(57)【要約】【課題】簡単な構造で、ゴルフクラブの固有振動数を正確に測定することが可能なゴルフクラブ特性測定装置を提供する。【解決手段】動的ひずみ計５が取り付けられたクランパー３を基台１に配置し、グリップ部ＧがクランパーでクランプされたゴルフクラブＧＣのシャフトＳに振動を与えることにより動的ひずみ計の出力信号によりゴルフクラブの固有振動数を計測する。クランパーは開閉する一対の把持片からなる２組の把持部３１を具備し、ゴルフクラブのシャフト側の把持部に動的ひずみ計を取り付ける。動的ひずみ計を帯状の板ばねからなる振動部材５１を介して把持部に取り付ける。【選択図】  図２
2005000563.tif 000002
【特許請求の範囲】
【請求項１】
動的ひずみ計が取り付けられたクランパーが基台に配置され、グリップ部が該クランパーでクランプされたゴルフクラブのシャフトに振動を与えることにより該動的ひずみ計の出力信号によりゴルフクラブの固有振動数が計測されることを特徴とするゴルフクラブ測定装置。
【請求項２】
前記クランパーは、開閉する一対の把持片からなる２組の把持部を具備し、ゴルフクラブのシャフト側の把持部に該動的ひずみ計が取り付けられたことを特徴とする請求項１記載のゴルフクラブ測定装置。
【請求項３】
前記動的ひずみ計が帯状の板ばねからなる振動部材を介して該把持部に取り付けられたことを特徴とする請求項２記載のゴルフクラブ測定装置。
【発明の詳細な説明】
【０００１】
【発明の属する技術分野】
本発明はゴルフクラブの特性値の１つである固有振動数を測定する装置に関するものである。
【０００２】
【従来の技術】
ゴルフクラブはシャフトの先端部にヘッドを取り付けるとともに基部にグリップを取り付けてなるが、シャフトは硬いシャフトや柔らかいシャフトなどと表現される。そして、シャフトの硬さを表すものとしてクラブを振ったときのシャフトの振動（固有振動数）がゴルフクラブの特性として重要視されている。硬いシャフトは小さな振幅で振動するので大きな固有振動数を示し、柔らかいシャフトはこの逆である。
【０００３】
【発明が解決しようとする課題】
固有振動数はゴルフクラブを設計する上で重要なファクターであるが、従来の固有振動数の測定装置は、グリップ部保持機構とセンサーである光電管を具備し、クラブのグリップ部を保持機構で保持してシャフトに振動を与え、シャフトの先端近傍に配置された光電管が振動するシャフトにより光が遮られる回数をカウントし、一定回数のカウントに要した時間から固有振動数を計測している。したがって、装置が大型化するとともに、シャフトの振幅巾を大きくしないと正確に計測できない不具合があった。
【０００４】
そこで本発明は、簡単な構造で、ゴルフクラブの固有振動数を正確に測定することが可能なゴルフクラブ特性測定装置を提供することを目的とする。
【０００５】
【課題を解決するための手段】
かかる目的を達成するために、請求項１の発明は、動的ひずみ計が取り付けられたクランパーを基台に配置し、グリップ部がクランパーでクランプされたゴルフクラブのシャフトに振動を与えることにより動的ひずみ計の出力信号によりゴルフクラブの固有振動数を計測する。請求項２の発明は、請求項１の発明において、クランパーは開閉する一対の把持片からなる２組の把持部を具備し、ゴルフクラブのシャフト側の把持部に動的ひずみ計を取り付ける。請求項３の発明は、請求項２の発明において、動的ひずみ計を帯状の板ばねからなる振動部材を介して把持部に取り付ける。
【０００６】
【発明の実施の形態】
以下に、図面に基づいて本発明の実施の形態を具体的に説明する。図１は本発明実施例の要部の側面図を示し、図２は同じく要部の平面図を示すが、それぞれ一部の部材を省略して図示してある。図１および図２において、基板１に保持壁２が立設されており、また、基板１上に制御ボックス４が配置されている。そして、保持壁２にクランパー３が取り付けられている。クランパー３は、一対の対向する把持片３１ａ、３１ａからなる２組の把持部３１、３１を有し、レバー３２を回動することにより、後述するように、把持片３１ａが開閉し、クラブＧＣのグリップ部Ｇをクランプおよびアンクランプする。
【０００７】
把持部３１の把持片３１ａ、３１ａは、図３に示すように、軸３６で回動可能に連結され、また、把持片３１ａ、３１ａの後部はリンク３５、３５に連結されている。なお、図３においてはレバー３２の図示を省略しているが、レバー３２を回動してレバー３２に連結されたカム３３を回動させると移動部材３４が前後動する。そして、移動部材３４が後方位置にあるときは、図３（Ａ）に示すように、リンク３５、３５の角度が小さくなって把持片３１ａは開いてアンクランプ状態になり、また、移動部材３４が前方位置にあるときは、図３（Ｂ）に示すように、リンク３５、３５の角度が大きくなって把持片３１ａが閉じてグリップ部Ｇをクランプする。
【０００８】
２組の把持部３１のうち、シャフト側の把持部３１の背面に帯状の板ばねからなる振動部材５１が取り付けられており、振動部材５１に動的ひずみ計５が取り付けられている。動的ひずみ計５は、高分子材料からなるピエゾフィルムを圧電素子とするものであり、発生する電位はひずみの大きさに比例し、その極性はひずみの方向に対応する。なお、図４に示すように、振動部材５１を用いることなく、動的ひずみ計５を把持部３１の背面に直接取り付けてもよい。
【０００９】
しかして、図１および図２に示すように、グリップ部Ｇを把持部３１でクランプし、シャフトＳ先端のヘッド部を手で抑えて所定距離下方に変位させ、手を離すとシャフトＳは単振動する。そして、シャフトＳの振動に基づいて把持片３１に取り付けられた動的ひずみ計５に電位が発生する。この出力信号が制御ボックス４内で演算されるが、発生した電位を縦軸、時間を横軸にとると動的ひずみ計５の出力信号は正弦曲線を描く。そして、この正弦曲線を電位の絶対値が所定の値、例えば２．５ｍＶ以上になるとＯＮとなり、２．５ｍＶ以下であればＯＦＦとなるパルス信号に変換すると、単位時間内のパルスの数から固有振動数を求めることができる。
【００１０】
このように、固有振動数を光電管やストロボスコープを利用せずに動的ひずみ計５を利用して求めるので、部品点数が少なくて小型化が可能であるとともに低コストで製造できる。そして、従来、光電管やストロボスコープはシャフトやヘッドにおいて固有振動数を測定するが、本発明はグリップをクランプするクランパーに動的ひずみ計が取り付けられているので、得られた特性値は実際にクラブを握った時の感覚に近いものが得られる利点がある。
【００１１】
次に、Ｐ／Ｓ、Ａ、Ｐ、９Ｉ、４Ｉ、１Ｗの５種類のクラブを上記の装置にセットし、振幅をパラメータにして固有振動数を正確に測定できるかどうかを調査した。比較例として、従来の光電センサーを用いた装置でも同じ調査をした。その結果を表１に示す。表１において、○印は正確に測定可能であったことを示し、×印は正確に測定できなかったことを示す。
【００１２】
【表１】
2005000563.tif 000003
【００１３】
表１に示すように、本発明の装置においては、振幅が２ｃｍであっても全てのクラブにおいて正確に測定することができたが、比較例では、振幅が２ｃｍの場合は全てのクラブで正確に測定できず、振幅が３ｃｍの場合は、４Ｉと１Ｗのクラブでは正確に測定できたが、他のクラブでは正確に測定できなかった。これから判るように、動的ひずみ計を使用する本発明の装置は、光電センサーを使用する従来の装置よりも短い振幅でも正確に固有振動数を測定できる。
【００１４】
【発明の効果】
以上説明したように、本発明のゴルフクラブ測定装置は、動的ひずみ計が取り付けられたクランパーを基台に配置し、グリップ部がクランパーでクランプされたゴルフクラブのシャフトに振動を与えることにより動的ひずみ計の出力信号によりゴルフクラブの固有振動数を計測するので、簡単な構造で、ゴルフクラブの固有振動数を正確に測定することが可能なゴルフクラブ特性測定装置とすることができる。
【図面の簡単な説明】
【図１】本発明実施例の要部の側面図である。
【図２】本発明実施例の要部の平面図である。
【図３】クランパーの説明図である。
【図４】他の実施例の説明である。
【符号の説明】
１    基台
２    保持壁
３    クランパー
３１    把持部
３１ａ  把持片
３２    レバー
３３    カム
４    制御ボックス
５    動的ひずみ計
５１    振動部材
【図１】
2005000563.tif 000004
【図２】
2005000563.tif 000005
【図３】
2005000563.tif 000006
【図４】
2005000563.tif 000007